(57)【要約】【課題】限られたケーブル類収容空間内でケーブル類を効率良く収容することができるようにしたケーブル類保護案内装置を提供すること。【解決手段】ケーブル類収容空間Ｒ内のケーブル類Ｃを屈曲内周側と屈曲外周側とに仕分ける仕切り棚板部材１２０と左右に仕分ける一対の仕切り壁板部材１３０とを着脱自在に装着してなるケーブル類保護案内装置１００において、仕切り棚板部材１２０が仕切り壁板部材１３０に対して傾斜自在に装着する係止用突起部（１２１ａ）を備えているとともに、仕切り壁板部材１３０が係止用突起部（１２１ａ）に対して傾斜自在に装着する複数の係止用孔（１３１ａ）からなる傾斜調整用孔群（１３１）を備えている。【選択図】図１
2006125494.tif 000002
【特許請求の範囲】
【請求項１】
左右一対のリンクプレートの屈曲内周側及び屈曲外周側に連結板をそれぞれ横架した矩形状枠断面のリンク枠体が、前記リンクプレートに設けた連結ピンと連結ピン孔とで相互に屈曲自在に多数連結されてケーブル類を挿通して案内保護するケーブル類収容空間を形成するとともに、前記ケーブル類収容空間内のケーブル類を屈曲内周側と屈曲外周側とに仕分ける仕切り棚板部材と左右に仕分ける一対の仕切り壁板部材とを着脱自在に装着してなるケーブル類保護案内装置において、
前記仕切り棚板部材が仕切り壁板部材に対して傾斜自在に装着する係止用突起部を備えているとともに、前記仕切り壁板部材が前記係止用突起部に対して傾斜自在に装着する複数の係止用孔からなる傾斜調整用孔群を備えていることを特徴とするケーブル類保護案内装置。
【請求項２】
前記仕切り棚板部材が前記一対の仕切り壁板部材に対する装着傾斜角度を変更自在にする伸縮棚構造を備えていることを特徴とする請求項１記載のケーブル類保護案内装置。
【請求項３】
前記仕切り壁板部材が、前記仕切り棚板部材の装着ピッチを細かく調節する複数列の傾斜調整用孔群を備えていることを特徴とする請求項１または請求項２記載のケーブル類保護案内装置。
【発明の詳細な説明】
【技術分野】
【０００１】
本発明は、ケーブル類保護案内装置に係り、更に詳しくは、産業用機械の可動部材に電力や圧縮空気のエネルギーを供給するケーブルやホース等のケーブル類を収容すると共に、可動部の移動中においてもケーブル類を安全にかつ確実に案内保護するのに好適なケーブル類保護案内装置に関するものである。
【背景技術】
【０００２】
従来、ケーブル収容空間内でケーブル類を多段に仕分けるケーブル類保護案内装置が知られている。このような従来のケーブル類保護案内装置は、縦仕切り板とリンクプレートに対して棚板の取り付け位置を同じ高さに設け、ケーブル収容空間内で棚板が水平な面で取り付く構造となっている（例えば、特許文献１参照）。
【特許文献１】特開２０００−１２０８０７号公報
【発明の開示】
【発明が解決しようとする課題】
【０００３】
ところが、従来のケーブル類保護案内装置にあっては、例えば、一つの棚板でケーブル収容空間を仕切って該棚板の上下の空間でそれぞれ径の大きさが異なる複数のケーブル類を収容する場合、棚板で仕切られた上下それぞれの空間の内高さと略同じ径幅の太いケーブル類は収まり良くそれら上下の空間内にそれぞれ収容されるが、前述の内高さより大幅に径幅の小さい細いケーブル類はそれら上下の空間内でそれぞれ大きくばたつくため、このようなばたつきによりケーブル類が磨耗して該ケーブル類の損傷が増大するという問題があった。
【０００４】
また、従来、この種のケーブル類保護案内装置においては、例えば、半導体用のチップマウンターや工作機械等のマシンに取り付けられる場合、それらマシンの設置されるスペースが小さいことによりケーブルやホース等のケーブル類の取り回しが容易ではなく、それらケーブル類を大きさ順に配列を変えてケーブル収容空間内に挿入することが出来ない事が多々あった。
【０００５】
この為、従来のケーブル類保護案内装置では、例えば、一つの棚板でケーブル収容空間を２段に仕切って、棚板の上下の異なる空間それぞれに太いケーブル類を収容しなければならない場合に、ケーブル収容空間内が小さくて仕切れず、ケーブル収容空間内の内高さが大きいサイズのケーブル類保護案内装置に変更するしかないという問題があるばかりでなく、コスト的に不経済であり、ケーブル類保護案内装置の外形寸法が大きくなると設置スペースに収まらないという問題もあった。
【０００６】
そこで、本発明は、上述したような課題を解決するものであって、すなわち、本発明の目的は、ケーブル類収容空間内に収容される複数のケーブル類の径の大小に対応して棚板を斜めに設置することにより、ケーブル類のばたつきを抑えてケーブル類の損傷を軽減することができ、設置スペースを左右する外形寸法を大きくせずとも限られたケーブル類収容空間内でケーブル類を効率良く収容することができるようにしたケーブル類保護案内装置を提供することにある。
【課題を解決するための手段】
【０００７】
本請求項１に係る発明は、左右一対のリンクプレートの屈曲内周側及び屈曲外周側に連結板をそれぞれ横架した矩形状枠断面のリンク枠体が、前記リンクプレートに設けた連結ピンと連結ピン孔とで相互に屈曲自在に多数連結されてケーブル類を挿通して案内保護するケーブル類収容空間を形成するとともに、前記ケーブル類収容空間内のケーブル類を屈曲内周側と屈曲外周側とに仕分ける仕切り棚板部材と左右に仕分ける一対の仕切り壁板部材とを着脱自在に装着してなるケーブル類保護案内装置において、前記仕切り棚板部材が仕切り壁板部材に対して傾斜自在に装着する係止用突起部を備えているとともに、前記仕切り壁板部材が前記係止用突起部に対して傾斜自在に装着する複数の係止用孔からなる傾斜調整用孔群を備えていることによって、上記目的を達成するものである。
【０００８】
また、本請求項２に係る発明は、本請求項１の発明の構成に加えて、前記仕切り棚板部材が前記一対の仕切り壁板部材に対する装着傾斜角度を変更自在にする伸縮棚構造を備えていることによって、上記目的を達成するものである。
【０００９】
また、本請求項３に係る発明は、本請求項１または本請求項２の発明の構成に加えて、前記仕切り壁板部材が、前記仕切り棚板部材の装着ピッチを細かく調節する複数列の傾斜調整用孔群を備えていることによって、上記目的を達成するものである。
【発明の効果】
【００１０】
本請求項１に係る発明によれば、左右一対のリンクプレートの屈曲内周側及び屈曲外周側に連結板をそれぞれ横架した矩形状枠断面のリンク枠体が、前記リンクプレートに設けた連結ピンと連結ピン孔とで相互に屈曲自在に多数連結されてケーブル類を挿通して案内保護するケーブル類収容空間を形成するとともに、前記ケーブル類収容空間内のケーブル類を屈曲内周側と屈曲外周側とに仕分ける仕切り棚板部材と左右に仕分ける一対の仕切り壁板部材とを着脱自在に装着してなるケーブル類保護案内装置において、前記仕切り棚板部材が仕切り壁板部材に対して傾斜自在に装着する係止用突起部を備えているとともに、前記仕切り壁板部材が前記係止用突起部に対して傾斜自在に装着する複数の係止用孔からなる傾斜調整用孔群を備えているため、仕切り棚板部材を水平に組みつける以外にも斜めにも組みつけることにより、収容するケーブル類の径の大小に対応してケーブル収容空間を有効に仕切ってケーブル類を収容することができるとともに、仕切り棚板部材を収容する複数のケーブル類の径の大小に対応して所望の位置で斜めに設置することにより、ケーブル類のばたつきを抑えてケーブル類の損傷を軽減することができる。更に、仕切り棚板部材を収容するケーブル類の径の大小に対応して所望の位置に斜めに設置することにより、装置の外形寸法を大きくせずとも限られたケーブル類収容空間内でケーブル類を効率良く収容することができるので、経済的であり、かつ、小スペースに設置されるマシンにも取り付けることができる。
【００１１】
また、本請求項２に係る発明によれば、本請求項１の発明が奏する効果に加えて、前記仕切り棚板部材が前記一対の仕切り壁板部材に対する装着傾斜角度を変更自在にする伸縮棚構造を備えていることで、一対の仕切り壁板部材の装着位置を固定して使用する形態においても、仕切り棚板部材の長さを自由に調節することができるので、ケーブル類の仕様が変わっても容易に調整することができ部品を無駄にしなくても済む。
【００１２】
また、本請求項３に係る発明によれば、本請求項１または請求項２の発明が奏する効果に加えて、前記仕切り壁板部材が、前記仕切り棚板部材の装着ピッチを細かく調節する複数列の傾斜調整用孔群を備えていることで、収容するケーブル類の大小に対応して仕切り棚板部材の取り付けピッチを細かく調節してケーブル収容空間内を有効に仕切って効率良くケーブル類を収容することができる。
【発明を実施するための最良の形態】
【００１３】
以下、本発明の実施の形態について添付図面を参照して説明する。
【００１４】
図１は、本発明に係るケーブル類保護案内装置１００の斜視図である。図１に示すように、本発明に係るケーブル類保護案内装置１００は、例えば、半導体用のチップマウンターや、工作機械や、車両等の可動部と静止部とを接続する電気信号の伝達や電力の供給を行う電気ケーブルや油圧や空圧を供給するホースのようなケーブル類Ｃを保護案内するために使用されるもので、矩形状のリンク枠体１１０が長尺状に多数連結され、可動部と静止部（図示しない）との間の移動状況に応じて直線状態、あるいは屈曲状態を呈することができ、これらのリンク枠体１１０が連続して形成されたケーブル類収容空間Ｒ内にケーブル類Ｃを挿通した状態で保護案内できるようになっている。
【００１５】
前述したリンク枠体１１０は、例えば、優れた強度特性を発揮できるガラス繊維強化ポリアミド系樹脂によって成形され、離間配置された左右一対のリンクプレート１１１、１１１と、該リンクプレート１１１、１１１の屈曲内周側に横架された屈曲内周側連結板１１２と屈曲外周側に横架された屈曲外周側連結板１１３とが矩形状に一体化されている。
【００１６】
すなわち、屈曲内周側連結板１１２は、左右一対のリンクプレート１１１、１１１と射出成形加工によって一体化されているが、屈曲外周側連結板１１３は、一端が片方のリンクプレート１１１に回動可能に連結され、他端がもう片方のリンクプレート１１１に係合可能に開閉できるようになっている。
【００１７】
そして、リンクプレート１１１のプレート前方とプレート後方とは、プレート厚み方向に段差を形成した、所謂、オフセット構造を呈しており、さらに、リンクプレート１１１のプレート後方には、連結ピン１１４が設けられているとともに、プレート前方には、連結ピン１１４と略同一径の連結ピン孔１１５が設けられている。
【００１８】
したがって、リンク枠体１１０同士は、相互に連続して配置されるリンクプレート１１１、１１１の連結ピン１１４と連結ピン孔１１５とを嵌め込むことで連結され、連結ピン１１４を中心に屈曲することができるようになっている。
【００１９】
また、本実施例では、一対のリンクプレート１１１ごとにケーブル類収容空間Ｒ内のケーブル類Ｃを屈曲内周側と屈曲外周側とに仕分ける仕切り棚板部材１２０と、左右に仕分ける一対の仕切り壁板部材１３０とを着脱自在に装着している。具体的には、屈曲内周側連結板１１２と屈曲外周側連結板１１３とに着脱自在に仕切り壁板部材１３０が装着され、一対の仕切り壁板部材１３０に対し仕切り棚板部材１２０が傾斜状態で着脱自在に装着されている。なお、仕切り壁板部材１３０は、左右一対のリンクプレート方向（以下、単に、「左右方向」という。）で所望の位置に装着自在である。この実施例では、仕切り壁板部材１３０に備わる爪部１３３が、連結板１１２及び連結板１１３それぞれを掴み保持することでそれら連結板に装着される。
【００２０】
そして、仕切り棚板部材１２０を仕切り壁板部材１３０に対して傾斜状態でも装着する装着係止機構が、仕切り棚板部材１２０と仕切り壁板部材１３０との間に設けられている。具体的には、収容する複数のケーブル類Ｃの径の大小の違いに対応して該ケーブル類Ｃのばたつきを抑制する傾斜状態、あるいは、限られたケーブル類収容空間Ｒ内で複数のケーブル類Ｃを効率良く収容することができる傾斜状態（図８参照）で装着可能な装着係止機構が、仕切り棚板部材１２０と仕切り壁板部材１３０との間に設けられている。
【００２１】
つぎに、本実施例のケーブル類保護案内装置１００が最も特徴としている仕切り棚板部材１２０と仕切り壁板部材１３０との構造について図２乃至図４に基づき説明する。すなわち、仕切り棚板部材１２０を一対の仕切り壁板部材１３０に対して傾斜状態でも装着可能な装着係止機構について詳細に説明する。
【００２２】
図２は、図１に示した一対のリンクプレート１１１に備わる一対の仕切り壁板部材１３０とこれに対し傾斜状態で装着された仕切り棚板部材１２０との装着状態を拡大視した斜視図であり、図３は、仕切り棚板部材１２０の組み立て構成を拡大視した拡大斜視図であり、図４は、仕切り壁板部材１３０を拡大視した拡大斜視図である。
【００２３】
仕切り棚板部材１２０は、２つのアダプタ部１２１、１２１と１つの板部１２２とから構成される。ここで、２つのアダプタ部１２１、１２１は、板部１２２の両端で着脱自在に嵌合される。更に、アダプタ部１２１は、仕切り壁板部材１３０に対して傾斜自在に装着可能な係止用突起部１２１ａを備える。
【００２４】
また、仕切り壁板部材１３０は、前述の係止用突起部１２１ａに対して傾斜自在に装着する複数の係止用孔１３１ａからなる傾斜調整用孔群１３１を備える。
【００２５】
なお、アダプタ部１２１は、左右の係止用突起部１２１ａをつなぐ本体部の中央がえぐられた形状を有している。このえぐられた形状によりアダプタ部１２１が変形し、仕切り棚板部材１２０を仕切り壁板部材１３０に対し着脱する作業が容易となる。また、係止用突起部１２１ａは、前述の傾斜調整用孔群１３１のいずれかの係止用孔１３１ａと傾斜自在に装着する為に先端がピンなどの軸形状で形成されている。また、係止用突起部１２１ａは、前述の仕切り壁板部材１３０の開口部１３２側からリンク枠体１１０が連結する方向（以下、「前後方向」という。）に備わる２つの傾斜調整用孔群１３１のそれぞれいずれかの係止用孔１３１ａに嵌まり込むように、前述の前後方向の両向きそれぞれに突出する形態でアダプタ部１２１に２つ備わる。
【００２６】
更に、この実施例では、仕切り壁板部材１３０に備わる傾斜調整用孔群１３１の複数の係止用孔１３１ａの形成位置は、個々の仕切り壁板部材１３０間で同じ高さにくるように構成されている。すなわち、実際の使用に際しては、同じ構成で製造した仕切り壁板部材１３０を複数適用することとなる。
【００２７】
このような構成によると、仕切り棚板部材１２０の両端のアダプタ部１２１に形成された係止用突起部１２１ａが仕切り壁板部材１３０の傾斜調整用孔群１３１のいずれかの係止用孔１３１ａに回動自在に嵌まり込むので、仕切り棚板部材１２０を一対の仕切り壁板部材１３０に対して水平に装着する以外にも斜めにも装着することができるので、収容するケーブル類の径の大小に対応してケーブル収容空間を有効に仕切ってケーブル類を収容することができる。すなわち、仕切り棚板部材を収容する複数のケーブル類の径の大小に対応して所望の位置で斜めに設置することにより、ケーブル類のばたつきを抑えてケーブル類の損傷を軽減することができると共に、ケーブル類保護案内装置の外形寸法を大きくせずとも限られたケーブル類収容空間内でケーブル類を効率良く収容することができるので、経済的であり、かつ、小スペースに設置されるマシンにも取り付けることができる。
【００２８】
また、本実施例の装着係止機構によれば、係止用突起部１２１ａの径幅及び傾斜調整用孔群１３１の係止用孔の孔径幅を板部１２２の板厚幅より大幅に小さく形成することが可能となるので、仕切り壁板部材１３０に備わる傾斜調整用孔群１３１の係止用孔ピッチ（すなわち、仕切り棚板部材１２０の取り付けピッチ）を細かく設定することができる。これにより、従来の棚板そのものを壁板に貫通または嵌め込む構造に比べて、一対の仕切り壁板部材に対して仕切り棚板部材を取り付けるピッチを細かく調節することができる。
【００２９】
更に、本実施例における仕切り棚板部材１２０の板部１２２は、アルミの押し出し加工品なので任意の長さに切断でき、長さを容易に調整できるので、従来のように幅ごとに合せた樹脂の射出成型金型を沢山作らなくても良く、大幅なコストダウンが可能となる。また、板部１２２は、アルミの押し出し品でなく樹脂の押し出し品でも代用可能である。なお、本実施例のアダプタ部１２１は、樹脂成型品からなっているが、これ以外の金属成型品などであっても良い。
【００３０】
なお、本実施例の仕切り壁板部材１３０には、前述の傾斜調整用孔群１３１と貫通する開口部１３２を形成している。この開口部１３２は、仕切り棚板部材１２０の係止用突起部１２１ａを傾斜調整用孔群１３１の係止用孔１３１ａに嵌め込む際、アダプタ部１２１を挿入する口となる。また、仕切り棚板部材１２０を取り付ける一対の仕切り壁板部材１３０間に設置される他の仕切り壁板部材１３０の開口部１３２にあっては、取り付ける仕切り棚板部材１２０を貫通させる口となる。
【００３１】
このような開口部１３２を設けることで、一つの仕切り棚板部材１２０と複数の仕切り壁板部材１３０とによって、ケーブル収容空間Ｒを左右一対のリンクプレート方向に複数列に仕切ることができる。すなわち、屈曲内周側連結板１１２と屈曲外周側連結板１１３の方向（以下、単に「上下方向」という。）に空間を２段で仕切る場合で、左右方向に複数列の空間を仕切る場合には、複数の仕切り棚板部材を用意すること無く、一つの仕切り棚板部材のみを用意すれば良い。
【００３２】
つぎに、前述した仕切り棚板部材１２０の変形例である仕切り棚板部材２２０について図５及び図６を用いて説明する。なお、この場合では、前述した仕切り壁板部材１３０と同一の機能構成である仕切り壁板部材については符号を２００番台に変えて示している。
【００３３】
この仕切り棚板部材２２０は、前述した仕切り棚部材１２０と同様の構成である２つのアダプタ部２２１を備えると共に、新たな構成要素の伸縮自在板部２２２とを備えて構成される。
【００３４】
ここで、伸縮自在板部２２２は、仕切り棚板部材２２０が一対の仕切り壁板部材２３０に対する装着傾斜角度を変更自在にする伸縮構造を備えている。
【００３５】
例えば、図５及び図６に示す実施例では、伸縮構造の一例として、板短手方向断面の枠サイズが大きく内部が中空の板部に対して板短手方向断面の枠サイズが小さい板部を抜き差しすることで伸縮自在にする構造を示している。
【００３６】
このような構成により、一対の仕切り壁板部材の装着位置を固定して使用する形態においても、仕切り棚板部材の長さを自由に調節することができるので、ケーブル類の仕様が変わっても容易に調整することができ部品を無駄にしなくても済む。
【００３７】
つぎに、前述した仕切り壁板部材２３０の変形例である仕切り壁板部材３３０について図７を用いて説明する。
【００３８】
図７において、この仕切り壁板部材３３０は、前述の仕切り壁板部材２３０と同様に開口部３３２を備えると共に、係止用孔間隔の上下方向の位置が列間で相互にずれるように２列構成の傾斜調整用孔群３３１を板厚幅方向に新たに備えている。なお、図の実施例では、複数の係止用孔３３１ａのそれぞれの孔間隔がＡである傾斜調整用孔群を２列に設け、更に、２列間で上下に隣接する係止用孔３３１ａの上下方向の間隔がＡ／２になるように設けている。
【００３９】
また、図７に示す仕切り棚板部材３３０では、２列構成を示したが、本発明はこれに限定されず、２列以外の複数列構成にしても良い。また、前述した実施例では、好ましい構成として、複数の係止用孔の上下方向の間隔を等間隔とした場合について示しているが、別に等間隔にしなくても良い。
【００４０】
このような構成によると、仕切り壁板部材の板厚幅を広くして複数列に係止用孔３３１ａの孔間隔の上下方向の位置を相互にずらして設けることにより、一対の仕切り壁板部材に対する仕切り棚板部材の取り付けピッチを細かく調節することができるので、ケーブル収容空間Ｒを有効に仕切ってケーブル類を効率良く収容することができる。
【００４１】
図８は、本実施例のケーブル類保護案内装置１００のケーブル収容空間Ｒの上下方向に切断した場合の断面図を示す。なお、この実施例では、仕切り棚板部材として、図１乃至図４の実施例に示した仕切り棚板部材１２０を適用した場合を示している。
【００４２】
すなわち、図８に示すように、本実施例のケーブル類保護案内装置１００では、仕切り棚板部材１２０を一対の仕切り壁板部材１３０に対して斜めに取り付けることができるので、仕切り棚板部材１２０で仕切られて上下方向に形成された上下の空間にそれぞれ径の大小が異なる複数のケーブル類Ｃを収容するとき、上下の空間それぞれにおいて、収容するケーブル類Ｃのばたつきを抑制する位置で、かつ、複数のケーブル類を効率良く収容できる位置で仕切り棚板部材１２０を斜めに装着することができる。
【００４３】
具体的には、例えば、図８に示すように、一対の仕切り壁板部材と、一つの仕切り棚板部材とを用いてケーブル収容空間Ｒを上下方向に仕切るとき、仕切り棚板部材に対する上空間Ｒ１と下空間Ｒ２とのそれぞれに、空間Ｒの内高さＨの半分Ｈ／２より大きな径幅ｄの太いケーブル類とＨ／２より大きな径幅Ｄの太いケーブル類を収容しなければならないような場合、従来のように、空間Ｒの内高さＨの半分のＨ／２の位置で水平面にて仕切った場合には空間が小さくて仕切れないが、同図に示すように、前述の径幅ｄのケーブル類と径幅Ｄのケーブル類がそれぞれ上空間Ｒ１と下空間Ｒ２に収まるように斜めに設置することで対応することができる。なお、この例では、一対の仕切り壁板部材１３０の外側の２つの空間（仕切り壁板部材１３０とリンクプレート１１１との間の２つの空間）にもそれぞれケーブル類を収容する使用形態を示している。
【００４４】
言うまでも無く、図８に示した仕切り棚板部材１２０の代わりに、図５及び図６の実施例に示した仕切り棚板部材２２０を適用した場合も、同図８に示すような斜め配置が可能である。
【００４５】
なお、前述した実施例では、屈曲内周側連結板１１２が、左右一対のリンクプレート１１１、１１１と射出成形加工によって一体化され、屈曲外周側連結板１１３は、一端が片方のリンクプレート１１１に回動可能に連結され、他端がもう片方のリンクプレート１１１に係合可能に開閉できる構成を示したが、本発明はこれに限定されず、両側開閉タイプや内周側開閉タイプにしても良い。
【００４６】
また、上記実施例の屈曲内周側連結板１１２及び屈曲外周側連結板１１３では、隣接のリンク枠体１１０間に隙間ができるタイプを示したが、本発明はこれに限定されず、隣接のリンク枠体１１０間に隙間が形成されずケーブル収容空間を密閉するタイプであっても良い。
【００４７】
さらに、前述の実施例においては、仕切り棚板部材と仕切り壁板部材との間に設けられ、仕切り棚板部材を仕切り壁板部材に対して傾斜状態でも装着する装着係止機構として、係止用突起部や傾斜調整用孔群や開口部を示したが、本発明は、これに限定されるものではない。すなわち、仕切り棚板部材を水平に装着する以外にも斜めにも装着することができる構成であれば良い。また、仕切り棚板部材を、収容する複数のケーブル類の径の大小に対応して収容するケーブル類のばたつきを抑制する所望の位置で斜めに設置することができる構成、あるいは、収容する複数のケーブル類の径の大小に対応して限られたケーブル収容空間内で複数のケーブル類を効率良く収容することができる所望の位置で斜めに設置することができる構成であれば良い。
【００４８】
また、前述した実施例では、仕切り壁板部材に備わる傾斜調整用孔群の複数の係止用孔形成位置は、個々の仕切り壁板部材間で同じ高さにくるような構成として説明したが、これ以外にも、仕切り棚板部材を装着する一対の仕切り壁板部材間同士で高さがずれた構成にしても良い。すなわち、仕切り棚板部材を水平に装着できなくても良い。
【００４９】
前述の実施例では、一つの仕切り棚板部材を用いてケーブル収容空間Ｒ内を上下方向に仕切る形態を示したが、これ以外にも、複数の仕切り棚板部材を用いてケーブル収容空間Ｒを上下方向に複数段に仕切るようにしても良い。例えば、１段目と２段目とで傾斜向きが逆向きになるように配置しても良い。
【００５０】
このようにして得られた本実施例のケーブル類保護案内装置１００は、仕切り棚板部材１２０が仕切り壁板部材１３０に対して傾斜自在に装着する係止用突起部１２１ａを備えているとともに、仕切り壁板部材１３０が係止用突起部１２１ａに対して傾斜自在に装着する複数の係止用孔１３１ａからなる傾斜調整用孔群１３１を備えているため、ケーブル類収容空間Ｒ内で仕切り棚板部材１２０を複数のケーブル類Ｃの大小に対応して斜めに設置することにより、ケーブル類Ｃのばたつきを抑えてケーブル類Ｃの損傷を軽減することができると共に、設置スペースを左右する外形寸法を大きくせずとも限られたケーブル類収容空間Ｒ内でケーブル類Ｃを効率良く収容することができるものであり、その効果は甚大である。
【図面の簡単な説明】
【００５１】
【図１】本発明の一実施例であるケーブル類保護案内装置の斜視図。
【図２】図１に示した仕切り壁板部材と仕切り棚板部材の装着状態を拡大視した斜視図。
【図３】仕切り棚板部材の組み立て構成を示す拡大斜視図。
【図４】仕切り壁板部材の構成を示す拡大斜視図。
【図５】図２に示した仕切り棚板部材の変形例を示す拡大斜視図。
【図６】図５の仕切り棚板部材の組み立て構成を示す拡大斜視図。
【図７】図２及び図５に示した仕切り壁板部材の変形例を示す拡大斜視図。
【図８】本発明に係るケーブル類保護案内装置を上下方向で切断した場合のケーブル収容空間の断面図。
【符号の説明】
【００５２】
１００・・・ケーブル類保護案内装置
１１０・・・リンク枠体
１１１・・・リンクプレート
１１２・・・屈曲内周側連結板
１１３・・・屈曲外周側連結板
１１４・・・連結ピン
１１５・・・連結ピン孔
１２０，２２０・・・仕切り棚板部材
１２１，２２１・・・アダプタ部
１２１ａ，２２１ａ・・・係止用突起部
１２２・・・板部
２２２・・・伸縮自在板部
１３０，２３０，３３０・・・仕切り壁板部材
１３１，３３１・・・傾斜調整用孔群
１３１ａ，２３１ａ，３３１ａ・・・係止用孔
１３２，２３２，３３２・・・開口部
１３３，２３３，３３３・・・爪部
Ｃ・・・ケーブル類
Ｒ・・・ケーブル収容空間
Ｒ１・・・上空間
Ｒ２・・・下空間
【図１】
2006125494.tif 000003
【図２】
2006125494.tif 000004
【図３】
2006125494.tif 000005
【図４】
2006125494.tif 000006
【図５】
2006125494.tif 000007
【図６】
2006125494.tif 000008
【図７】
2006125494.tif 000009
【図８】
2006125494.tif 000010